(57)【要約】【課題】  カートリッジ本体１０の内部にシール剤１１が残っている場合において、シール剤１１を空気から遮断することによって硬化を防止するとともに、短時間で再スタートが可能なキャップノズル２０，２０ａを提供する。【解決手段】  キャップノズル２０，２０ａの開口側端部Ｘの内側には、カートリッジの雄ねじ部８と螺着する雌ねじ部５、５ａを形成し、キャップノズル２０，２０ａの外側には、雌ねじ部５、５ａと螺着する雄ねじ部２、２ａを形成する。さらに、キャップノズル２０，２０ａの開口側端部Ｘに近い位置の内側には、少なくとも１条の略円環状をしたシール用凸状部４、４ａを形成する。そして、シール用凸状部４、４ａの先端部分には傾斜部２１を形成する。【選択図】  図４
2012030889.tif 000002
【特許請求の範囲】
【請求項１】
カートリッジ本体の雄ねじ部に螺着して使用する細長空洞で略円錐形状をしたキャップノズルにおいて、
前記キャップノズルは、ノズルとしての機能とキャップとしての機能を併せて有するものであり、
前記キャップノズルの開口側端部の内側には、前記カートリッジ本体の雄ねじ部と螺着する雌ねじ部が形成されており、
前記キャップノズルの外側には、前記雌ねじ部と螺着する雄ねじ部が形成されていることを特徴とするキャップノズル。
【請求項２】
前記キャップノズルの内側には、少なくとも１条の略円環状をしたシール用凸状部が形成されていることを特徴とする請求項１記載のキャップノズル。
【請求項３】
前記シール用凸状部は、前記開口側端部に近い位置に形成されていることを特徴とする請求項２記載のキャップノズル。
【請求項４】
前記シール用凸状部の先端部分には、傾斜部が形成されていることを特徴とする請求項２又は請求項３記載のキャップノズル。
【請求項５】
カートリッジ本体の雄ねじ部に螺着して使用する細長空洞で略円錐形状をしたキャップノズルの使用方法において、
前記キャップノズルは、ノズルとしての機能とキャップとしての機能を併せて有するものであり、
前記キャップノズルの開口側端部の内側には、前記カートリッジ本体の雄ねじ部と螺着する雌ねじ部が形成されており、
前記キャップノズルの外側には、前記雌ねじ部と螺着する雄ねじ部が形成されており、
前記カートリッジ本体に螺着させて使用した前記キャップノズルの前記雄ねじ部に、別の前記キャップノズルの前記雌ねじ部を螺着させた状態で、カートリッジコーキングガンのレバーを引いて、前記カートリッジ本体に使用した前記キャップノズルの先端からシール材をはみ出させた状態のままで放置することを特徴とする前記キャップノズルの使用方法。
【発明の詳細な説明】
【技術分野】
【０００１】
本発明は、例えば、空気に触れると硬化するシール剤や接着剤などが充填されているカートリッジ本体の吐出口に螺着させて使用されるものであり、ノズルとしての役割と、ノズルのキャップとしての役割を併せて持つキャップノズル及びその使用方法に関するものである。
【背景技術】
【０００２】
カートリッジコーキングガンを用いて、カートリッジ本体１０に充填されているシール剤や接着剤などをノズルの先端から押し出して作業する手法は、主に建築関係の作業などで多用されている。なお、これらのシール剤や接着剤は、空気に触れると硬化するという一般的な特徴がある。
【０００３】
すなわち、図６に示すようなシール剤１１や接着剤などが充填されているカートリッジ本体１０の吐出口に、図７に示すような細長空洞で略円錐形状をした樹脂製の従来ノズル１２を被せる。そして、その先端を作業目的等に合わせてカッターナイフなどでカットし、該カット部分からシール剤１１や接着剤などをカートリッジコーキングガンを用いて押し出して作業をしていた。
【０００４】
そして、作業終了時においてカートリッジ本体１０の内部に充填されているシール剤１１などが残っているような場合には、カットしたノズルの先端部分に硬化防止のために粘着テープを巻きつけたり、棒などを押込んで栓をしたりして空気との遮断をする手法が用いられていた。しかしながら、これらの手法ではシール剤１１などと空気との遮断が十分ではないために、短時間でシール剤１１などが硬化してしまい、その結果、硬化した部分がノズルに詰まってしまうという問題点があった。
【０００５】
この改善策として、特許文献１や特許文献２のように、ノズルに被せるキャップの構造に改良を加えたり、特許文献３のようにノズルの構造やキャップの構造の両方に改良を加えたりする手法が提案されている。これらの手法を用いると、シール剤などと空気との間である程度の遮断がされるので、短時間の放置ではシール剤などが硬化することはない。
【０００６】
しかし、再スタートをする際に、作業内容によってはノズルの先端の径が前回よりも小さい径の方が好ましいような場合もある。このような場合には、カートリッジ本体１０の吐出口に螺着されているノズルの交換が必要となるために、再スタートに時間がかかってしまうという問題点があった。
【０００７】
加えて、上述したような従来から使用されているキャップやノズルの構造では、シール剤１１などと空気との間の遮断が十分ではないために長期間の保管ができないという問題点もあった。
【先行技術文献】
【特許文献】
【０００８】
【特許文献１】特開平７−４１０２２号公報
【特許文献２】特開平１０−２７７４７１号公報
【特許文献３】登録実用新案第３１２７５１８号公報
【発明の概要】
【発明が解決しようとする課題】
【０００９】
本発明は、作業終了時にカートリッジ本体の内部にシール剤などが残っているような場合において、シール剤などと空気との間の遮断を十分にすることによって、シール剤などの硬化を防止するとともに、短時間で再スタートが可能な構造のキャップノズルの提供を目的としている。
【課題を解決するための手段】
【００１０】
上述した課題を解決するために、請求項１の発明では、カートリッジ本体の雄ねじ部に螺着して使用する細長空洞で略円錐形状をしたキャップノズルにおいて、前記キャップノズルは、ノズルとしての機能とキャップとしての機能を併せて有するものであり、前記キャップノズルの開口側端部の内側には、前記カートリッジ本体の雄ねじ部と螺着する雌ねじ部が形成されており、前記キャップノズルの外側には、前記雌ねじ部と螺着する雄ねじ部が形成されていることを特徴としている。
【００１１】
請求項１の発明によって、カートリッジ本体に使用したキャップノズルの部分に、別のキャップノズルを被せて螺着させると、下側のキャップノズルの雄ねじ部と上側のキャップノズルの雌ねじ部との間で空気を遮断することが可能な第一のシール部分が形成される。
【００１２】
加えて、カートリッジ本体に使用した下側のキャップノズルに上側のキャップノズルを被せることによって、上側のキャップノズルがカバーとしての役割をはたすために、放置中にカートリッジ本体内部のシール材が流れ出して周囲を汚すこともない。
【００１３】
請求項２に記載の発明は、請求項１の発明において、キャップノズルの内側には、少なくとも１条の略円環状をしたシール用凸状部が形成されていることを特徴としている。
【００１４】
この略円環状をしたシール用凸状部によって、上述した第一のシール部分に加えて、上側のキャップノズルのシール用凸状部と、下側のキャップノズルのノズル部との間でも空気が遮断されて、新たな第二のシール部分を形成することができる。したがって、空気が完全に遮断されるために、そのままの状態で放置をしてもシール剤が硬化することがない。
【００１５】
請求項３に記載の発明は、請求項２の発明において、シール用凸状部は、キャップノズルの開口側端部に近い位置に形成されていることを特徴としている。
【００１６】
すなわち、シール用凸状部は、カッターナイフ等で切断されて形成される突出口との位置関係から、キャップノズルの開口側端部に近い位置に設けるようにしている。したがって、シール用凸状部がカッターナイフ等で損傷を受けることもない。
【００１７】
請求項４に記載の発明は、請求項２又は請求項３の発明において、シール用凸状部の先端部分には、傾斜部が形成されていることを特徴としている。
【００１８】
この傾斜部を設けることによって、上側のキャップノズルのシール用凸状部と、下側のキャップノズルのノズル部とが当接する部分の接触面積を大きくすることができる。したがって、空気との遮断性能をさらに向上させることができる。
【００１９】
請求項５に記載の発明は、カートリッジ本体の雄ねじ部に螺着して使用する細長空洞で略円錐形状をしたキャップノズルの使用方法において、前記キャップノズルは、ノズルとしての機能とキャップとしての機能を併せて有するものであり、前記キャップノズルの開口側端部の内側には、前記カートリッジ本体の雄ねじ部と螺着する雌ねじ部が形成されており、前記キャップノズルの外側には、前記雌ねじ部と螺着する雄ねじ部が形成されており、前記カートリッジ本体に螺着させて使用した前記キャップノズルの前記雄ねじ部に、別の前記キャップノズルの前記雌ねじ部を螺着させた状態で、カートリッジコーキングガンのレバーを引いて、前記カートリッジ本体に使用した前記キャップノズルの先端からシール材をはみ出させた状態のままで放置することを特徴としている。
【００２０】
カートリッジコーキングガンのレバーを引いて、下側のキャップノズルと上側のキャップノズルとのすきま部分に、下側のキャップノズルの先端からシール材をはみ出させた状態のままで放置をすることによって、さらなる長期間の保存をしてもシール材が硬化しにくくなるためである。
【発明の効果】
【００２１】
本発明に係わるキャップノズルは、それぞれが同一の形状をしており、ノズルとしての機能とキャップとしての機能を併せて持つものである。
【００２２】
本発明に係わるキャップノズルを用いると、シール剤などと空気との間を十分に遮断することができる。そして、カートリッジ本体の内部に充填されているシール剤などの一部を使用した後において、ノズルとして用いた部分に他の本発明に係わるキャップノズルをキャップとして螺着させた状態で被せておくことによって、残ったシール剤などの長期間の保管を可能にすることができる。したがって、カートリッジ本体の内部に残ったシール剤などの充填物を最後まで有効に使用することができる。
【００２３】
また、キャップとして螺着させて被せた部分の先端を作業目的等に合わせてカッターナイフなどで適宜カットして、ノズルとしての使用をすることができる。したがって、ノズルの先端の径が前回に比べて小さい径が好ましいような場合でも、カートリッジ本体の吐出口に螺着されているノズルの交換を不要とし、キャップとして被せた先端を適宜カットすることによって短時間での再スタートが可能となる。
【図面の簡単な説明】
【００２４】
【図１】本発明に係わるキャップノズルである。
【図２】本発明に係わるキャップノズルのＡ−Ａ断面図である。
【図３】一対のキャップノズルを螺着させた状態である。
【図４】一対のキャップノズルを螺着させた状態のＢ−Ｂ断面図である。
【図５】カートリッジに螺着したキャップノズルに、別のキャップノズルを被せて螺着させた状態の断面図である。
【図６】従来のノズルを螺着したカートリッジの使用例である。
【図７】従来のノズルの断面図である。
【発明を実施するための形態】
【００２５】
本発明に係わるキャップノズル２０の実施の形態について、図１〜図７を用いて詳細に説明する。なお、比較のために、図７には従来のノズル１２の断面形状を示している。
【００２６】
以下において、カートリッジ本体１０の充填物の一例として、シール材１１を用いた場合についての実施例を示しているが、シール材１１に代えて接着剤などの充填物を用いた場合についても同様に説明をすることができる。
（本発明に係わるキャップノズル）
図１は、本発明に係わるキャップノズル２０の外側形状を示す。本発明に係わるキャップノズル２０、２０ａは、それぞれが同一の形状をしており、ノズルとしての機能とキャップとしての機能を併せて持つものである。
【００２７】
本発明に係わるキャップノズル２０は、ノズル部１、雄ねじ部２及び、つば部３を含む開口側端部（Ｘ）を有する構造をしている。そして、キャップノズル２０は、細長空洞で略円錐形状をしており、ノズル部１の先端ほど径が細い形状をしている。
【００２８】
なお、キャップノズル２０の開口側端部（図１のＸの部分）につば部３を設けることによって、カートリッジ本体１０に螺着した際において、それぞれをしっかりと固定することができる。
【００２９】
図２は、本発明に係わるキャップノズル２０の断面図を示す。すなわち、キャップノズル２０の開口側端部（図１のＸの部分）の内側には、カートリッジ本体１０に形成されているカートリッジの雄ねじ部８と螺着するために、従来ノズル１２と同様の雌ねじ部５を備えている（図２、図７）。そして、一対の本発明に係わるキャップノズル２０を準備することによって、一方のキャップノズル２０の雌ねじ部５と、他方のキャップノズル２０の雄ねじ部２とを螺着して一体化した状態で使用をすることができる。
【００３０】
また、本発明に係わるキャップノズル２０の内側には、略円環状をしたシール用凸状部４を少なくとも１条設けるようにした。すなわち、シール用凸状部４は、キャップノズル２０の内側に全周に渡って突起状に設けるようにした。
【００３１】
図２における実施例では、１条のシール用凸状部４を雄ねじ部２の内側の右側部分に設けているが、ノズル部１の中央部付近に設けることもできる（例えば、図２において雄ねじ部２の左側部分。）。なお、シール用凸状部４は、カッターナイフ等で切断されて形成される突出口Ａ６（図２）との位置関係から、キャップノズル２０の開口側端部（図１のＸの部分）に近い位置に設けるのが好ましい。したがって、シール用凸状部がカッターナイフ等で損傷を受けることもない。
【００３２】
キャップノズル２０が未使用の状態では、ノズル部１の先端部分は閉じられている。そして、図２のＬに示す点線のように、カッターナイフ等でノズル部１を適宜カットして用いることができる。
（一対のキャップノズル２０を互いに螺着させた状態）
図３に、本発明に係わる一対のキャップノズル２０、２０ａを互いに螺着させた状態を、図４にその状態の断面図を示す。すなわち、図３及び図４は、一方のキャップノズル２０の雄ねじ部２と、他方のキャップノズル２０ａの雌ねじ部５ａとが螺着して一体化した状態を示している。
【００３３】
ここで、一対のキャップノズル２０、２０ａがそれぞれ螺着した状態において、一方のキャップノズル２０ａの内側の略円環状をしたシール用凸状部４ａと、他方のキャップノズル２０のノズル部１とが当接するようにした（図４拡大部）。さらに、シール用凸状部４ａの先端部分には、キャップノズル２０のノズル部１の傾斜と対応するように傾斜部２１を設けるようにした。この傾斜部２１によって、それぞれが当接する部分の接触面積を大きくすることができる（図４拡大部）。
【００３４】
すなわち、後述する実施例１において詳細に説明をするように、一対のキャップノズル２０、２０ａは、雄ねじ部２と雌ねじ部５ａとの螺着部分と、シール用凸状部４ａとノズル部１との当接部分の計２箇所の部分で空気との遮断ができるようにした。
（実施例１）
実施例１として、カートリッジ本体１０にキャップノズル２０を螺着して作業をした後に、新たなキャップノズル２０ａを被せ、螺着させた状態の断面図を示す（図５）。すなわち、カートリッジ本体１０に使用したキャップノズル２０の部分に、別のキャップノズル２０ａを被せて螺着させると、キャップノズル２０の雄ねじ部２とキャップノズル２０ａの雌ねじ部５ａとの間で空気を遮断する第一のシール部分が形成される。
【００３５】
さらに、上述した第一のシール部分に加えて、上側のキャップノズル２０ａのシール用凸状部４ａと、下側のキャップノズル２０のノズル部１との間でも空気が遮断されて、新たな第二のシール部分を形成することができる。
【００３６】
すなわち、本発明に係わる一対のキャップノズル２０、２０ａを螺着させた状態にすると、２重のシール部分を形成することが可能になる。したがって、空気が完全に遮断されるために、そのままの状態で放置をしてもシール剤１１が硬化することがない。
【００３７】
加えて、カートリッジ本体１０に使用したキャップノズル２０にキャップノズル２０ａを被せることによってカバーとしての役割をはたすために、放置中にカートリッジ本体１０内部のシール材１１が流れ出して周囲を汚すこともない。
【００３８】
再度、カートリッジ本体１０内部のシール材１１を使用したいような場合には、被せた状態の上側のキャップノズル２０ａを螺旋って取外し、下側のキャップノズル２０の突出口Ａ６をノズルとして用いることによって元の状態で再スタートをすることができる（図５）。
【００３９】
また、被せた状態のキャップノズル２０ａを螺旋って取り外す時間がないような緊急の場合には、そのままキャップノズル２０ａの先端部を切断して再スタートをすることもできる（図５）。加えて、前回よりもノズルの先端の径を太くしたい場合にはｍの位置で（図５、突出口Ｂ７）、ノズルの先端の径を細くしたい場合にはｎの位置で（図５）、それぞれカッターナイフ等で切断して再スタートをすることもできる。
（実施例２）
実施例１の内容に加えて、さらなる長期間の保存をしたいような場合には、カートリッジ本体１０に使用したキャップノズル２０の部分に、別のキャップノズル２０ａを被せて螺着させた状態にする（図５）。
【００４０】
この状態で、カートリッジコーキングガンのレバーを引いて、下側のキャップノズル２０と上側のキャップノズル２０ａとのすきま部分に、下側のキャップノズル２０の先端からシール材１１をはみ出させた状態のままで放置すると、さらなる長期間の保存をしてもシール材１１が硬化しにくいことが明らかになった（図なし）。
【００４１】
この理由としては、カートリッジコーキングガンのレバーを引き、下側のキャップノズル２０の先端からシール材１１をはみ出させた状態のままで放置することによって、キャップノズル２０とキャップノズル２０ａとのすきま部分（図５）が加圧状態（大気圧よりも高い状態）に保たれる。したがって、キャップノズル２０とキャップノズル２０ａとのすきま部分に、外部の空気の進入が遮断されるために、さらなる長期間の放置をしてもシール剤１１が硬化しにくくなるためと考えられる。
（実施例３）
上述した実施例１、実施例２では、２個のキャップノズル２０、２０ａを用いた場合についての説明をした。ここで、パイプの奥の部分にシール材１１を充填する場合のように、作業の必要性等に応じて、更に本発明に係わる第３、第４、第５・・のキャップノズルを上側に重ねて被せ、螺着させて長くした状態で使用をすることもできる（図なし）。
（実施例４）
また、上述した実施例１〜３では、略円環状をしたシール用凸状部４を１条設けるようにしているが、シール用凸状部４を２条、３条と増やすことによって空気とのシール能力をさらに向上させることができる（図なし）。
【００４２】
上述したように、本発明に係わるキャップノズル２０，２０ａは、それぞれが同一の構造をしており、キャップとしての役割とノズルとしての役割を併せて持つものである。したがって、金型も一つ製造すればよいことや製造時の作業性も向上することから、キャップノズルの製造コストを低減することができる。
【００４３】
また、同一の構造をしているので、キャップノズルの使用の際にあれこれと迷うこともない。加えて、未使用のキャップノズルは重ねた状態で螺着させておけば場所をとることもなく整然と保管をすることができる。
【００４４】
本発明に係わるキャップノズル２０，２０ａを用いると、螺着時には２重のシール部分を形成することが可能になるために、空気とシール剤などとの間を十分に遮断することができる。そして、カートリッジ本体の内部に充填されているシール剤などの一部を使用した後においても、別のキャップノズル２０ａを螺着させることによって、長期間の保管を可能にすることができる。したがって、カートリッジ本体の内部に残ったシール剤などを最後まで有効に使用することができる。
【００４５】
加えて、下側のキャップノズル２０に上側のキャップノズル２０ａを被せることによって、放置中にカートリッジ本体１０の内部のシール材１１がノズル部１から流れ出して、周囲を汚すこともない。
【００４６】
さらに加えて、上側に被せた状態のキャップノズル２０ａの先端部分を、作業目的等に合わせてカットして再スタートをすることができる。したがって、ノズルの先端の径が前回に比べて小さい径が好ましいような場合でも、上側に被せた状態のキャップノズル２０ａの先端部分の径を適宜カットすることによって短時間での再スタートが可能となる。
【産業上の利用可能性】
【００４７】
本発明に係わるキャップノズル２０，２０ａは、建築関係などにおいてカートリッジコーキングガンを用いてカートリッジ本体の内部に充填されているシール剤や接着剤などをノズルの先端から押し出す作業に用いることができる。
【符号の説明】
【００４８】
１、１ａ  ノズル部
２、２ａ  雄ねじ部
３、３ａ  つば部
４、４ａ  シール用凸状部
５、５ａ  雌ねじ部
６  突出口Ａ
７  突出口Ｂ
８  カートリッジの雄ねじ部
９  カートリッジの突出口
１０  カートリッジ本体
１１  シール材
２０、２０ａ  キャップノズル
２１  傾斜部
Ｌ、ｍ、ｎ  キャップノズルの切断部
Ｘ  キャップノズルの開口側端部
【図１】
2012030889.tif 000003
【図２】
2012030889.tif 000004
【図３】
2012030889.tif 000005
【図４】
2012030889.tif 000006
【図５】
2012030889.tif 000007
【図６】
2012030889.tif 000008
【図７】
2012030889.tif 000009